(57)【特許請求の範囲】
【請求項１】
新聞広告用の複数枚のシートの丁合機に複数搭載され、前記丁合機により給紙タイミングがそれぞれ制御される給紙装置であって、
筐体と、
該筐体に連係保持される給紙トレイと、
該給紙トレイの下流側端縁に連通するように回転自在に軸支される給紙ローラと、
前記給紙トレイに積層載置された後、給送されるシートを分離するための紙捌き機構と、
該紙捌き機構により分離されたシートを搬送する横搬送ローラと、
該筐体に内蔵され、前記給紙ローラ、紙捌き機構及び横搬送ローラの駆動力源となるモータと、該モータの制御手段と、
シート搬送検出手段と、
を備え、これらが一体保持されたユニットとして構成され、併設される他の給紙装置との給紙タイミングの同期制御機能を備えてシート搬送速度が制御自在であることを特徴とする給紙装置。
【請求項２】
前記筐体の両外側面の水平方向に、外部取付部材と連係するための直線状嵌合部が設けられ、該嵌合部での摺動嵌着が外部取付部材との着脱手段を成すと共に、該嵌合部の所定部位に、前記筐体に内装されるモータとその制御手段への通電接続手段及び制御信号伝達手段が設けられていることを特徴とする請求項１に記載の給紙装置。
【請求項３】
前記筐体に内装されるモータが、回転子磁極位置検出手段を備えるブラシレスＤＣモータであって、該回転子磁極位置検出手段からの信号が、併設される他の給紙装置等との同期を得る速度制御を行うための信号としても利用可能なように構成されていることを特徴とする請求項１又は２に記載の給紙装置。
【請求項４】
前記筐体に内装される制御手段が、
筐体表面に、該制御手段に連動する動作状況を表示する手段と、
動作指令手段と、
予め設定された条件での動作確認を行うためのテスト手段と
を備えたことを特徴とする請求項１乃至３のいずれかに記載の給紙装置。
【請求項５】
前記給紙トレイが、シート載置面積拡張のための補助給紙トレイを着脱可能に連携するように構成されていることを特徴とする請求項１乃至４のいずれかに記載の給紙装置。
【発明の詳細な説明】
【０００１】
【発明の属する技術分野】
本発明は、丁合機に複数搭載される給紙装置の改良に関する。
【０００２】
【従来の技術】
給紙装置はプリンターをはじめとする紙面への印刷機器やシート丁合機等多くの分野で実用化されており、その構成も多岐に亘っている。
【０００３】
この内、丁合機に用いられた従来の給紙装置としては、例えば、特開平９−２０８０７１号公報に示すものがあり、この構成を図２、図３を用いて説明する。
図２及び図３は、夫々側面概略図及び平面概略図である。
図２及び図３に示すように、従前の給紙装置１１は、給送されるシート（図示せず）を載置する給紙トレイ２１と、該給紙トレイ２１に連通し、回転自在の給紙ローラ１５と、積層されたシートを分離するための紙捌き機構１８と、分離されたシートを給送するための横搬送ローラ１６とを備え、これら各機構の可動部は、外部に設けられた動力源であるモータ（図示せず）と歯車列２４、２５等で機械的に連係して駆動されるように構成されている。
【０００４】
なお、その他の要部をなす構成要素については詳細な説明を省略するが、１５−１は給紙補助ローラを、１５−３は給紙ローラ軸を、１５−４は給紙ローラ軸用の軸受を、１７は給紙圧調整機構を、１６−２は横搬送ローラ軸を、１６−３は横搬送ローラ軸用の軸受を、１４は給紙トレイの係合部を夫々示している。
この例から明らかなように、多数の給紙装置が搭載される、例えば丁合機等の全体構成では、図に見る夫々の給紙装置１１が当該丁合機の外被筐体（図示せず。外被筺体の一部の構成である外側板２２、２３を図示）に所定の配置で搭載されることになり、該複数の給紙装置群を所定のタイミングで駆動するためには、丁合機の外被筐体に各給紙装置１１が連係するための係合部材が、夫々の給紙装置１１等に付随して設けられることを必須とするので、機械的な係合部材が給紙装置等と共に多数併設することが余儀無くされている。
【０００５】
【発明が解決しようとする課題】
前記のように従来の給紙装置の構成は、外部に設けられたモータに連係して駆動されることと相俟って、夫々の給紙装置が給紙を行う外部装置例えば、丁合機の外被筐体に固定保持されることになる。
このため、実装状態でのシート給送ミス（いわゆるジャム現象）等の、異常時における修復が容易でない他、間接的には、動力伝達のための連係で、外部との機械的連結機構を必須とすることから、装置全体が複雑な構造となると共に、重量化や機械系の動作音が大きくなるという問題点（課題）があった。
本発明は従来のものの上記課題を解決するようにした給紙装置を提供することを目的とする。
【０００６】
【課題を解決するための手段】
本発明の給紙装置では、上記課題を解決するために、請求項１に記載のものでは、新聞広告用の複数枚のシートの丁合機に複数搭載され、前記丁合機により給紙タイミングがそれぞれ制御される給紙装置であって、筐体と、該筐体に連係保持される給紙トレイと、該給紙トレイの下流側端縁に連通するように回転自在に軸支される給紙ローラと、前記給紙トレイに積層載置された後、給送されるシートを分離するための紙捌き機構と、該紙捌き機構により分離されたシートを搬送する横搬送ローラと、該筐体に内蔵され、前記給紙ローラ、紙捌き機構及び横搬送ローラの駆動力源となるモータと、該モータの制御手段と、シート搬送検出手段と、を備え、これらが一体保持されたユニットとして構成され、併設される他の給紙装置との給紙タイミングの同期制御機能を備えてシート搬送速度が制御自在である構成とした。
【０００７】
請求項２に記載のものでは、請求項１に記載の給紙装置において、前記筐体の両外側面の水平方向に、外部取付部材と連係するための直線状嵌合部が設けられ、該嵌合部での摺動嵌着が外部取付部材との着脱手段を成すと共に、該嵌合部の所定部位に、前記筐体に内装されるモータとその制御手段への通電接続手段及び制御信号伝達手段が設けられるように構成した。
【０００８】
請求項３に記載のものでは、請求項１又は２に記載の給紙装置において、前記筐体に内装されるモータが、回転子磁極位置検出手段を備えるブラシレスＤＣモータとし、該回転子磁極位置検出手段からの信号が、併設される他の給紙装置等との同期を得る速度制御を行うための信号としても利用可能なように構成した。
【０００９】
請求項４に記載のものでは、請求項１乃至３のいずれかに記載の給紙装置において、
前記筐体に内装される制御手段が、筐体表面に、該制御手段に連動する動作状況を表示する手段と、動作指令手段と、予め設定された条件での動作確認を行うためのテスト手段とから構成した。
【００１０】
請求項５に記載のものでは、請求項１〜４の何れかに記載の給紙装置において、前記給紙トレイが、シート載置面積拡張のための補助給紙トレイを着脱可能に連係するよう構成した。
【００１１】
【発明の実施の形態】
以下図面によって本発明の実施の形態を説明する。
図１は本発明に係る給紙装置１の全体像を示す斜視図である。
図１において、給送されるシートを載置する給紙トレイ（図示せず）は、対をなす左筐体２、右筺体３に設けられるトレイ連係部４及びトレイ受けピン４−１によって連係保持されるもので、このトレイ連係保持機構自体の構成は従来周知のものと均等である。
なお、前記左筐体２と、右筐体３とは、紙捌き機構ほかを収納する中央筐体３０の両側部に一体的に連結されており、当該中央筐体３０とで給紙装置１全体の筐体を構成している。
【００１２】
前記給紙トレイに積層載置されたシート（図示しない）は、該給紙トレイに連通する部位に位置する給紙補助ローラ５−１とこれと同期回転する給紙ローラ５により、更に下流の横搬送ローラ６の方へ給送されるように構成される点も従来周知のものと均等である。
【００１３】
図１に見るように、前記給紙ローラ５の周辺近傍には、給紙圧調整機構７とこの給紙圧調整用の摘み７−１、シート有無検知手段９、シート給送に係るシート送り検知手段１０や、給紙ローラ５の下部で中央筐体３０に隠れて見えない位置に、給送される際に積層されたシートを分離するための紙捌き機構８も設けられているが、図では該紙捌き機構８に連係する捌き動作調整摘み８−１と捌き圧調整摘み８−２のみが表れている。
【００１４】
前記給紙ローラ５は、給紙ローラ軸５−３により、左右に設けられている給送補助ローラ５−２と共に保持されている。そして、前記給紙ローラ軸５−３は、その両端近傍が対をなす左筐体２、右筺体３に装着されている軸受５−４により軸支され、右筐体３に内蔵されているモータＭと連係している。
【００１５】
また、前記給紙ローラ５の給紙方向下流に位置して設けられ、上下に配置された対を成す横搬送ローラ６も、前記給紙ローラ５と同様に、横搬送ローラ軸６−２により、左右に設けられている搬送補助ローラ６−１と共に保持され、前記横搬送ローラ軸６−２は、その両端近傍が対をなす左筐体２、右筺体３に装着されている軸受６−３により軸支され、右のカバー３の内部に内蔵されたモータＭにより駆動される。
【００１６】
前記の通り本発明に係る給紙装置１は、該給紙装置１自体に内装された各可動部を駆動するための動力源であるモータＭとその制御回路Ｃはいずれも右筐体３に内蔵している。しかも、前記の対をなす左筐体２、右筺体３にはその外側面に、外部筐体部材に対し着脱自在とするための詳細を後述する着脱手段３−６が設けられ、給紙装置全体をユニット化している。
【００１７】
ところで、前記右筐体３の内部には、モータＭとその制御回路Ｃと共に、給紙装置１が単独で給紙機能（図示せず）を備えるほか、該給紙装置の単独での動作と併設される他の給紙装置との連動を選択する選択手段（図示せず）と、動作状況表示手段（図示せず）及びテスト指令手段（図示せず）も内装されている。
このような選択手段、動作状況表示手段及びテスト指令手段夫々に関連して構成の一部の素子として右筐体３の前面部には、図１に示すように単独運転と連携運転との切換スイッチ３−１、図示しないセンサと連動して点灯表示する紙詰まり表示や、シート有無検知手段と連動して点灯する用紙切れ表示等を示す複数個のランプから成る動作状況表示手段３−３及び他の給紙装置との連係動作が的確になされるか等のテスト用のテストスイッチ３−２が配置されている。
【００１８】
前記ユニット化された給紙装置１を駆動するモータＭは、好ましくは回転子磁極位置検出手段を有するブラシレスＤＣモータが使用され、前記回転子磁極位置検出手段からの信号は当該モータの回転制御用の信号とするのみならず、上述併設される他の給紙装置１等とのシート送りの同期を確保するための、モータ速度制御の信号としている。
【００１９】
また、前記給紙装置１の着脱自在の搭載対象装置、例えば丁合機の外被筐体との着脱手段としては、図１ではレール受け溝３−６を例示しており、これに対応する丁合機等の外被筐体側の嵌合部がレールであることを示唆しているが、レールとレール受け溝の反転配置もある他、着脱手段の形態が限定されるものではない。
なお、前記給紙装置１とこれから給紙を受ける丁合機等の外被筐体とのレールとレール受け溝による着脱手段においては、レール側の所定部位に浮沈可能で且つ転動自在な球体と、レール溝側に前記球体が沈着可能な窪みとからなる給紙装置１の前記外被筐体への的確な搭載の確認手段を設けることが望ましい。
【００２０】
そして、図１の例では、着脱手段としてのレール受け溝３-６の所定部位に、内装されているモータＭやその制御回路Ｃとの電源供給や信号授受のための接続手段が設けられ、給紙装置１を前記丁合機の外被筐体に対して装着した場合の電気的・電子的な接続を的確に行うことを可能としている。
即ち、右筐体３の前記外部筐体との着脱手段としてのレール受け溝３−６の適所例えば、給紙方向の上流側に電気接続手段３−４及び信号伝達手段３−５が設けられている。
なお、電気接続手段３−４は、給紙装置１が前記丁合機等の外部筐体に的確に装着された際に、例えばリミットスイッチが作用し、前記外部筐体側から、電気の供給を受け、信号伝達手段３−５は給紙装置１が前記丁合機等の外部筐体に的確に搭載された際に、外部筐体側との間で制御信号の授受を可能とするようになっている。
【００２１】
また、上述したブラシレスＤＣモータを含むモータの駆動制御や、他の給紙装置等とのシート送りの同期を確保するために内装される制御手段の構成、及び図示する給紙圧調整機構７や紙捌き機構８に係る具体的構成等については、従来周知の技術でも可能であり、本発明と係りがないので、詳細な説明は省略する。
また、公知の構成につき図示を省略した給紙トレイは、例えば横長のＡ４版の大きさのシート用と縦長のＡ３版の用紙を兼用する場合、主トレイに対してシートの流れ方向に沿ってスライドする補助トレイを付加したトレイを用いることによって給紙装置の応用範囲を拡大することができる。
【００２２】
【発明の効果】
本発明は上述のように構成されるから、次に示すような優れた効果を有する。
（１）請求項１に記載の発明によると、給紙装置はその筺体内に給紙のための動力源としてのモータ及びその制御手段を内蔵する構成となっているから単独で給紙機能を発揮できると共に、給紙装置を構成する各機構が関係位置に一体的に保持されるようにユニット化された構成となっており、従来のもののように給紙装置とこれに連係する外部装置との動力伝達機構は存在しないので、モータを含む駆動系の異常が発生しても故障箇所を容易に修復することができる。
なお、丁合機などのように、ユニット化された本発明の給紙装置を多数装着して使用する場合には、実装状態でのシート給送ミス（いわゆるジャム現象）等の、異常状態が発生しても、ユニット毎の点検、修理（取り替え）が可能のため修復が容易となる。しかも、給紙を受ける丁合機等の外部装置との機械的連結機構が無く簡素化されるので、軽量化や機械系の動作音を低減することができる。
【００２３】
（２）請求項２に記載の発明によると、請求項１の発明の効果に加え、給紙を受ける外部装置の筐体に対する給紙装置の着脱が容易となり、また外部装置の筐体に給紙装置が正確に装着されることと関連して、内蔵モータへの電力供給、制御手段への信号供給を適正に行うことができる。
【００２４】
（３）請求項３に記載の発明によると、請求項１又２に記載の発明の効果に加え、モータの特性に伴い、応答性に優れた給紙動作を行うことができる。
【００２５】
（４）請求項４に記載の発明によると、請求項１乃至３のいずれかに記載の効果に加え、動作状況表示手段により、紙詰まりや、用紙切れなどの給紙装置内での異常発生等を的確に確認して対処することができ、また、テスト手段により関連の外部装置で連携動作する給紙機との適合性についても事前にテストできる。
【００２６】
（５）請求項５に記載の発明によると、請求項１乃至４のいずれかに記載の効果に加え、補助給紙トレイの着脱により異なる大きさの用紙に簡便、容易に対応することができる。
【図面の簡単な説明】
【図１】本発明に係る給紙装置の全体像を示す一部を切り欠いた斜視図である。
【図２】従来技術に係る給紙装置の側面概略図である。
【図３】従来技術に係る給紙装置平面概略図である。
【符号の説明】
１：給紙装置
２：左筐体
３：右筐体
３０：中央筐体
３−１：単独動作と連動との切換スイッチ
３−２：テストスイッチ
３−３：動作状況表示手段
３−４：電気接続手段
３−５：信号伝達手段
３−６：着脱手段（レール受け溝）
４：給紙トレイ係合部
４−１：トレイ受けピン
５：給紙ローラ
５−１：給紙補助ローラ
５−２：給送補助ローラ
６：横搬送ローラ
Ｍ：モータ
Ｃ：制御回路
【図１】
0003835590.tif 000002
【図２】
0003835590.tif 000003
【図３】
0003835590.tif 000004